【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
ローマナイズによるアルファベット入力の携帯入力端末において、和文の場合にも、英文の場合にも、それぞれ一つのハードキーに二つのバーチャルなキーを割り当て、この二つのバーチャルなキーを切り替えることによって、英文、和文の双方の入力を可能にした携帯入力端末。
【請求項２】
請求項１に記載の携帯入力端末において、３行３列の９キー型の鍵盤を設定して、和文の場合にそのなかの２行３列のハードキーに子音あるいは形式的子音の入力を担うバーチャルなキー、および母音あるいは形式的母音の入力を担うバーチャルなキーをともに担わせ、これらの二つのバーチャルなキーを子音（形式的子音を含む）から母音、母音（形式的母音を含む）から子音（形式的子音を含む）に自動的に交代させ、残りの１行３列のいずれも子音の入力を担うバーチャルなキーを手動によって切り替えるように設定し、このバーチャルな子音キーを先に示した２行３列のバーチャルなキーによる子音（形式的子音を含む）と母音（形式的母音を含む）の交代のシステムに参加させることによって、和文の入力を可能にした携帯入力端末。
【請求項３】
請求項２に記載の携帯入力端末において、和文の  ん  の入力を担う本発明に言う鼻音符をその直前に入力されたバーチャルなｎキーと結びついて、和文の  ん  を入力する形式上母音扱いのバーチャルなキーとして設定した携帯入力端末。
【請求項４】
請求項２に記載の携帯入力端末において、本発明に言う子音符を、形式上子音扱いで、ａ、ｉ、ｕ、ｅ、ｏの５個のバーチャルな母音と組み合わせて、これらの母音をその音価通りに入力する働きをもつバーチャルなキーとして設定した携帯入力端末。
【請求項５】
請求項２乃至４に記載の携帯入力端末において、自動的に交代する６個のハードキーに子音として、ｋｇ、ｓｚ、ｔｄ、ｎ、ｈｂ、形式的子音として子音符、の入力を担うバーチャルなキーを設定し、母音として、ａ、ｉ、ｕ、ｅ、ｏ、形式的母音として鼻音符、の入力を担うバーチャルなキーを設定した携帯入力端末。
【請求項６】
請求項５に記載の携帯入力端末において、ｋｇ、ｓｚ、ｔｄ、ｈｂ、の同時に二つの子音の入力を担うバーチャルなキーにおいて、普通に押し下げるとｋ、ｓ、ｔ、ｈ、の清音が、少し長めに押し下げると、ｇ、ｚ、ｄ、ｂ、の濁音が入力されるように設定した携帯入力端末。
【請求項７】
請求項２に記載の携帯入力端末において、手動によって切り替える３個のハードキーに残りの子音の入力を担うバーチャルなキーを設定した際に、この３個のハードキーを一度押し下げると、入力され、同じハードキーを連続してもう一度押し下げると、さきに入力されたｍ、ｙ、ｒの３個の子音が取り消されて、代わりにｗ、ｐの２個の子音、およびさらに別に設定された１個の機能キーの機能が入力されるように設定された携帯入力端末。
【請求項８】
請求項７に記載の携帯入力端末において、ｙの入力を担うバーチャルなキーだけは例外的に、他の子音が入力された直後にこのキーが押し下げられた場合には、先に入力された子音と結びついて、この子音を拗音化する働きを持つキーとなり、その直後に押し下げられる自動的に交代する２行３列の６個のハードキーのなかの母音入力を担う５個のバーチャルなキーと結びついて、この拗音が入力されるように設定された携帯入力端末。
【請求項９】
請求項７に記載の携帯入力端末において、１行３列の子音入力キーにおいて、同じハードキーを連続して押し下げると、ｗあるいはｐの子音が入力されるように設定された場合に、残された１個のハードキーを連続して押し下げると、本発明に言う文字大小符として、それが押し下げられると、その直前に入力された普通の字体が小型の字体に、小型の字体が普通の字体に変化するように設定された携帯入力端末。
【請求項１０】
請求項９に記載の携帯入力端末において、本発明に言う文字大小符を、それがカーソル等によって、すでに入力された平かな、片かな、漢字を等の字母あるいは字母群を指定したのちに押し下げられると、これらのすでに入力された字母あるいは字母群が、それが普通の字体であった場合には、それを小型の字体に、それが小型の字体であった場合には、それを普通の字体に変化させるように設定された携帯入力端末。
【請求項１１】
請求項２乃至９に記載の携帯入力端末において、最初に入力されるバーチャルなキーを、３行３列のハードな鍵盤の、第１行第１列、すなわち第１行最左端に、子音符を置き、第１行第２列、すなわち第１行中央に、ｋｇを置き、第１行第３列、すなわち第１行最右端に、ｓｚを置き、第２行第１列、すなわち第２行最左端に、ｔｄを置き、第２行第２列、すなわち第２行中央に、ｎを置き、第２行第３列、すなわち第２行最右端に、ｈｂを置き、第３行第１列、すなわち第３行最左端に、ｍを置き、第３行第２列、すなわち第３行中央に、ｙを置き、第３行第３列、すなわち第３行最右端に、ｒを置くように設定した携帯入力端末。
【請求項１２】
請求項２乃至９に記載の携帯入力端末において、最初に入力されるバーチャルなキーが入力されたあと、自動的切替或いは手動による切り替えを経て入力されるバーチャルなキーを、３行３列のハードな鍵盤の、第１行第１列、すなわち第１行最左端に、鼻音符を置き、第１行第２列、すなわち第１行中央に、ａを置き、第１行第３列、すなわち第１行最右端に、ｉを置き、第２行第１列、すなわち第２行最左端に、ｕを置き、第２行第２列、すなわち第２行中央に、ｅを置き、第２行第３列、すなわち第２行最右端に、ｏを置き、第３行第１列、すなわち第３行最左端に、文字大小を設定するキーを置き、第３行第２列、すなわち第３行中央に、ｗを置き、第３行第３列、すなわち第３行最右端に、ｐを置くように設定した携帯入力端末。
【請求項１３】
請求項１に記載の携帯入力端末において、英文入力の場合において、ひとつのハードキーに割り当てられる二つのバーチャルなキーのなかのいくつかに、さらに複数の字母の入力を割り当て、このバーチャルなキーの機能を発揮するハードキーが押し下げられた場合に、この複数の字母が同時に入力されるように設定された携帯入力端末。
【請求項１４】
請求項１３に記載の携帯入力端末において、同一のバーチャルなキーに割り当てられる複数の字母を、ｃｋｑ、ｇｊ、ｈｉｙ、ｓｘｚ、ｕｖｗの５組の字母群とした携帯入力端末。
【請求項１５】
請求項１４に記載の携帯入力端末において、同一のバーチャルなキーに割り当てられた複数の字母が同時に入力される結果として出現する複数の綴りを、あらかじめ登録しておいた単語辞書と引き当てることによって、そのなかでの英語の単語として成立しうる単語つづりのすべてを画面のディスプレーに表示するように設定した携帯入力端末。
【請求項１６】
請求項１５に記載の携帯入力端末において、同一のバーチャルなキーに割り当てられた複数の字母が同時に入力される結果として出現する複数の綴りを、あらかじめ登録しておいた単語辞書と引き当てることによって、そのなかでの英語の単語として成立しうる単語つづりのすべてを画面のディスプレーに表示する場合、それらの単語のなかで、文脈や文法から判断して、もっとも適当と判断される単語を本文の続きに、それ以外の単語を現実の鍵盤のキー配置に対応する形で画面のディスプレーに表示するように設定した携帯入力端末。
【請求項１７】
請求項１６に記載の携帯入力端末において、本文の続きに表示された入力候補の単語を選択する場合には、そのままスペースキーを押し下げるか、決定キーを押し下げることによって選択あるいは決定を行い、それ以外の単語を選択する場合には、まずシフトキーを押し下げてから、現実の鍵盤のキー配置に対応する形で画面のディスプレーに表示された入力候補の単語綴りの位置に対応する位置にある現実の鍵盤のキーを押し下げることにより、この単語綴りを入力するように設定した携帯入力端末。
【請求項１８】
請求項１４に記載の携帯入力端末において、同一のバーチャルなキーに割り当てられる複数の字母を、ｃｋｑ、ｇｊ、ｈｉｙ、ｓｘｚ、ｕｖｗの５組の字母群とした結果として成立する１７個のバーチャルな字母あるいは字母群を入力の単位とした携帯入力端末において、３行３列、計９個のハードキーから成り立つ鍵盤の各ハードキーに、複数のバーチャルな機能を持たせて、鍵盤切替キー等の機能キーを押し下げることによって、この単一のハードキーが、異なった字母（あるいは字母群）や符号の入力を担当するように設定することによって、この３行３列のハードキーによって、必要とされるすべての字母、数字、絵文字、符号の入力が可能になるように設定された携帯入力端末。
【請求項１９】
請求項１８に記載の携帯入力端末において、英文入力の場合に最初に入るバーチャルな鍵盤に属するキーに設定される字母あるいは字母群を、ａ、ｅ、ｈｉｙ、ｎ、ｏ、ｒ、ｓｘｚ、ｔ、ｕｖｗの９個とした携帯入力端末。
【請求項２０】
請求項１９に記載の携帯入力端末において、英文入力の場合に最初に入るバーチャルな鍵盤に属するキーに設定される字母あるいは字母群を、ａ、ｅ、ｈｉｙ、ｎ、ｏ、ｒ、ｓｘｚ、ｔ、ｕｖｗの９個とした場合に、この鍵盤の第１行左端すなわち第１行第１列にａを、第１行中央すなわち第１行第２列にｅを、第１行右端すなわち第１行第３列にｈｉｙを、第２行左端すなわち第２行第１列にｎを、第２行中央すなわち第２行第２列にｏを、第２行右端すなわち第２行第３列にｒを、第３行左端すなわち第３行第１列にｓｘｚを、第３行中央すなわち第３行第２列にｔを、第３行右端すなわち第３行第３列にｕｖｗを、設定した携帯入力端末。
【請求項２１】
請求項１９に記載の携帯入力端末において、英文入力の場合に最初に入るバーチャルな鍵盤から鍵盤切替キーを押し下げることによって入るバーチャルな鍵盤に属するキーに設定される字母あるいは字母群を、アルファベット２６字母を含む１７個の字母あるいは字母群の中から、ａ、ｅ、ｈｉｙ、ｎ、ｏ、ｒ、ｓｘｚ、ｔ、ｕｖｗの９個を抜いた、ｂ、ｃｋｑ、ｄ、ｆ、ｇｊ、ｌ、ｍ、ｐ、の８個とし、この場合に残された１個のバーチャルなキーに、それを入力すると、その直前に入力された字母、あるいは別種の操作によって指定された字母あるいは字母群を、小文字から大文字に、入文字から小文字に転換する機能を持った本発明に言う文字大小符を設定した携帯入力端末。
【請求項２２】
請求項２１に記載の携帯入力端末において、英文入力の場合に最初に入るバーチャルな鍵盤から鍵盤切替キーを押し下げることによって入るバーチャルな鍵盤に属するキーに設定される字母あるいは字母群あるいは機能を、この鍵盤の第１行左端すなわち第１行第１列にｂを、第１行中央すなわち第１行第２列にｃｋｑを、第１行右端すなわち第１行第３列にｄを、第２行左端すなわち第２行第１列にｆを、第２行中央すなわち第２行第２列にｇｊを、第２行右端すなわち第２行第３列にｌを、第３行左端すなわち第３行第１列にｍを、第３行中央すなわち第３行第２列にｐを、第３行右端すなわち第３行第３列に文字大小符を、という形で設定した携帯入力端末。
【請求項２３】
請求項２に記載の携帯入力端末において、数字入力の場合のみは、現実の字母入力用のハードキーにそのまま１から９までの数字入力を担わせ、その他の場合には機能キーに当てられるハードキーの中の一つに、残った数字の０の入力を担うバーチャルなキーを設定した携帯入力端末。